(57)【要約】【課題】ケーシング内で薬剤液をスプレーにより噴霧させ、外部の空気を、噴霧による液滴中を通過させることにより浄化させる場合に、この空気の浄化がより効果的になされるようにする。【解決手段】空気浄化装置１が、ケーシング３と、このケーシング３内の底部に設けられる薬剤液１２用の貯留部１３と、ケーシング３内の上部に配置され下方に向かって薬剤液１２を噴霧可能とするノズル１４と、薬剤液１２を上記ノズル１４に供給するポンプ１５と、ケーシング３内における貯留部１３とノズル１４との間に大気側の空気２を供給可能とする空気供給手段２０とを備える。ケーシング３の天井板９にこのケーシング３内の空気２を外部に排出可能とする排出口２１を成形する。空気供給手段２０におけるケーシング３内への空気２の供給口２７を薬剤液１２の液面２９に向かって開口させ、かつ、供給口２７をノズル１４の下方域に位置させる。【選択図】    図１
2004357804.tif 000002
【特許請求の範囲】
【請求項１】
ケーシングと、このケーシング内の底部に設けられる薬剤液用の貯留部と、上記ケーシング内の上部に配置され下方に向かって上記薬剤液を噴霧可能とするノズルと、上記薬剤液を上記ノズルに供給するポンプと、上記ケーシング内における上記貯留部とノズルとの間に大気側の空気を供給可能とする空気供給手段とを備え、上記ケーシングの天井板にこのケーシング内の空気を外部に排出可能とする排出口を成形した空気浄化装置において、
上記空気供給手段における上記ケーシング内への空気の供給口を上記薬剤液の液面に向かって開口させ、かつ、上記供給口をノズルの下方域に位置させた空気浄化装置。
【請求項２】
上下方向で、上記ノズルと上記供給口との間に配置されて、上記ケーシング内を上、下部空間に仕切る濾過材を備えた請求項１に記載の空気浄化装置。
【請求項３】
上記ケーシングが、上方に向かって開くケーシング開口を上端に有するケーシング本体を備え、上記天井板が上記ケーシング開口を開閉可能とし、上記ケーシング開口を通し上記濾過材を上記ケーシング本体内に対し挿抜可能とし、上記排出口を閉じる他の濾過材を設け、上記天井板の下面側に上記他の濾過材を着脱可能に取り付けた請求項２に記載の空気浄化装置。
【請求項４】
上記ケーシングを収容する他のケーシングを備えた請求項１から３のうちいずれか１つに記載の空気浄化装置。
【発明の詳細な説明】
【０００１】
【発明が属する技術分野】
本発明は、室内などの空気中の塵埃を除塵したり、空気中の悪臭を脱臭して、空気を浄化するようにした空気浄化装置に関するものである。
【０００２】
【従来の技術】
【０００３】
【特許文献１】特開平１１−９０１６３号公報
【０００４】
上記空気浄化装置には、従来、上記特許文献１で示されるものがある。この公報のものによれば、空気浄化装置は、ケーシングと、このケーシング内の底部に設けられる薬剤液用の貯留部と、上記ケーシング内の上部に配置され下方に向かって上記薬剤液を噴霧可能とするノズルと、上記薬剤液を上記ノズルに供給するポンプと、大気側の空気を上記ケーシング内における上記貯留部とノズルとの間に供給可能とする空気供給手段とを備え、上記ケーシングの天井板にこのケーシング内の空気を外部に排出可能とさせる排出口が成形されている。
【０００５】
上記空気浄化装置を運転する場合、上記ポンプを駆動させると、上記貯留部内の薬剤液が加圧されて上記ノズルに供給され、このノズルから下方に向けて噴霧される。一方、上記空気供給手段を駆動させると、大気側の空気が上記ケーシング内に供給される。すると、上記空気は、上記ノズルから噴霧された液滴に対向しながら上昇し、この際、この液滴と衝突したり接触することにより、除塵や脱臭がなされて空気が浄化される。その後、浄化された空気は、上記排出口からケーシングの外部に排出されて、大気に戻される。
【０００６】
【発明が解決しようとする課題】
ところで、上記従来の技術では、空気供給手段により上記ケーシング内に外部の空気が供給されると、この空気は直ちにケーシング内を上昇して上記排出口に向かわされるようになっている。このため、上記ケーシング内での空気の滞留時間が極めて短いことから、上記空気は、ノズルにより噴霧された液滴との接触機会が少なくなって、空気の浄化が不十分になりがちである。ここで、上記空気を十分に浄化させようとするには、上記薬剤液の噴霧量を増加させることが考えられるが、このようにすると、空気浄化装置の負荷が大きくなるおそれがあって、好ましくない。
【０００７】
また、上記従来の技術では、ノズルよりも空気の下流側には濾過材は存在しないため、上記ノズルから噴霧された液滴に対向しながら空気が上記排出口を通って外部に排出されるとき、上記空気に伴って上記液滴の一部が外部に排出されるおそれがあり、これが生じると、上記空気浄化装置の周りが上記薬剤液によって汚損されるという問題点が生じる。
【０００８】
本発明は、上記のような事情に注目してなされたもので、ケーシング内で薬剤液をスプレーにより噴霧させ、外部の空気を、上記噴霧による液滴中を通過させることにより浄化させる場合に、この空気の浄化がより効果的になされるようにすることを課題とする。
【０００９】
また、ケーシング内で浄化された空気がこのケーシングからその外部に排出されるとき、この空気に伴って薬剤液の液滴がケーシングの外部に排出されないようにすることを課題とする。
【００１０】
【課題を解決するための手段】
上記課題を解決するための本発明の空気浄化装置は、次の如くである。なお、この項において各用語に付記した符号は、本発明の技術的範囲を後述の「発明の実施の形態」の項の内容に限定解釈するものではない。
【００１１】
請求項１の発明は、ケーシング３と、このケーシング３内の底部に設けられる薬剤液１２用の貯留部１３と、上記ケーシング３内の上部に配置され下方に向かって上記薬剤液１２を噴霧可能とするノズル１４と、上記薬剤液１２を上記ノズル１４に供給するポンプ１５と、上記ケーシング３内における上記貯留部１３とノズル１４との間に大気側の空気２を供給可能とする空気供給手段２０とを備え、上記ケーシング３の天井板９にこのケーシング３内の空気２を外部に排出可能とする排出口２１を成形した空気浄化装置において、
【００１２】
上記空気供給手段２０における上記ケーシング３内への空気２の供給口２７を上記薬剤液１２の液面２９に向かって開口させ、かつ、上記供給口２７をノズル１４の下方域に位置させたものである。
【００１３】
請求項２の発明は、請求項１の発明に加えて、上下方向で、上記ノズル１４と上記供給口２７との間に配置されて、上記ケーシング３内を上、下部空間に仕切る濾過材３３を備えたものである。
【００１４】
請求項３の発明は、請求項１２の発明に加えて、上記ケーシング３が、上方に向かって開くケーシング開口７を上端に有するケーシング本体８を備え、上記天井板９が上記ケーシング開口７を開閉可能とし、上記ケーシング開口７を通し上記濾過材３３を上記ケーシング本体８内に対し挿抜可能とし、上記排出口２１を閉じる他の濾過材３４を設け、上記天井板９の下面側に上記他の濾過材３４を着脱可能に取り付けたものである。
【００１５】
請求項４の発明は、請求項１から３のうちいずれか１つの発明に加えて、上記ケーシング３を収容する他のケーシング４を備えたものである。
【００１６】
【発明の実施の形態】
以下、本発明の実施の形態を図面により説明する。
【００１７】
（第１の実施の形態）
【００１８】
図１，２は、第１の実施の形態を示している。
【００１９】
図において、符号１は空気浄化装置であって、この空気浄化装置１は、病院、遊技場、工場の室内などにおいて、空気２中の塵埃や菌などを除塵したり、空気２中の悪臭を脱臭して空気２を浄化するものである。
【００２０】
上記空気浄化装置１は、ケーシング３と、上方に向かって開く開口を上端に有し、この開口を通し上記ケーシング３を出し入れ可能に収容する他のケーシング４とを備えている。上記ケーシング３はたとえば樹脂製とされ、他のケーシング４は板金製とされ、これらケーシング３と他のケーシング４との間には、空間が設けられている。
【００２１】
上記ケーシング３は、上方に向かって開くケーシング開口７を上端に有する直方体形状のケーシング本体８と、上記ケーシング開口７を開閉可能とする平面視で長方形状の天井板９とを備えている。
【００２２】
上記空気浄化装置１は、上記ケーシング３内の底部に設けられる薬剤液１２用の貯留部１３と、上記ケーシング３内の上部に配置され下方に向かって上記薬剤液１２を噴霧可能とする複数（２つ）のノズル１４と、上記貯留部１３内に配置され、この貯留部１３に貯留されている薬剤液１２を加圧して上記各ノズル１４に供給可能とするポンプ１５と、このポンプ１５の吐出口を上記各ノズル１４に連通させる圧液パイプ１６とを備えている。上記薬剤液１２は次亜塩素酸ナトリウム水溶液や塩素溶液であり、空気２中のタバコ、生ごみ、下水、汚泥などによる悪臭を脱臭する効果を有すると共に、レジオネラ菌や大腸菌などを殺菌する効果も有している。また、上記ポンプ１５はケーシング３，４内に配置され、かつ、薬剤液１２中に配置されている。
【００２３】
上記空気浄化装置１は、上記ケーシング３内における上記貯留部１３とノズル１４との間に大気側の空気２を供給可能とする空気供給手段２０を備え、上記ケーシング３の天井板９には、上記ケーシング３内の空気２を上記ケーシング３の上方の外部に排出可能とする排出口２１が成形されている。
【００２４】
上記空気供給手段２０は、上記ケーシング３，４の上端部の側板に成形され、これらケーシング３，４の内外を連通させる空気２の導入口２４と、この導入口２４に応じて上記ケーシング３の側板の内面に取り付けられる電動ファン２５と、このファン２５の吐出側を上記貯留部１３に貯留される薬剤液１２の上方近傍域に連通させる空気２の供給ダクト２６とを備え、この供給ダクト２６は上記ケーシング３に一体成形されている。
【００２５】
上記供給ダクト２６における空気２の下流端には、上記ケーシング３内へ開口する空気２の供給口２７が成形されている。この供給口２７は、上記薬剤液１２の液面２９に向かって開口させられ、かつ、上記ノズル１４群の下方域に位置させられている。より具体的には、上記供給口２７の軸心３０が上記液面２９と交差することとされ、その交角θは２５―５５°とされ、また、上記供給口２７は上記ノズル１４群の直下に位置させられている。
【００２６】
上記空気浄化装置１は、上下方向で、上記ノズル１４群と、上記供給口２７との間に配置され、上記ケーシング３内を上、下部空間に仕切る濾過材３３を備えている。この濾過材３３は、ほぼ水平方向に延びる板状をなし、可撓性を有している。また、上記濾過材３３は、上記ケーシング３に着脱可能に支持され、上記ケーシング開口７を通し上記ケーシング本体８内に対し挿抜可能とされている。上記濾過材３３に対する保守、点検作業は、この濾過材３３を上記ケーシング本体８内に対し挿抜することにより可能であるが、上記濾過材３３をケーシング本体８内に支持させたまま、上記ケーシング開口７を通してでも可能である。
【００２７】
上記排出口２１を閉じる他の濾過材３４が設けられ、この他の濾過材３４は上記天井板９の下面側に着脱可能に取り付けられている。上記他の濾過材３４も、ほぼ水平方向に延びる板状をなし、可撓性を有している。上記他の濾過材３４に対する保守、点検作業は、この他の濾過材３４を上記天井板９から着脱させることにより可能であるが、上記天井板９を裏返せば、上記他の濾過材３４を天井板９に取り付けたままでも可能である。
【００２８】
上記ケーシング３の外側面には、上記薬剤液１２の液面２９の高さを視認可能とするレベル計３７が着脱可能に取り付けられ、上記レベル計３７の視認部分は、上記ケーシング３，４の外側方に配置されている。また、上記ケーシング３の外側面には、上記他のケーシング４を介し電気電子的な操作制御盤３８が取り付けられており、この操作制御盤３８には、ＣＰＵ、タイマー、スイッチなどが内蔵され、これらは電源スイッチを介し電源に接続される。また、３９はドレン弁である。
【００２９】
上記空気浄化装置１を運転する場合には、まず、薬剤液１２を所定の濃度、ｐＨ値になるよう調製し、上記ケーシング開口７を通し貯留部１３に注入する。この貯留部１３における薬剤液１２の液面２９の高さは、上記レベル計３７の視認によって調整する。各濾過材３３，３４を取り付けて、上記ケーシング本体８のケーシング開口７を天井板９により閉じる。
【００３０】
上記操作制御盤３８の操作により、ポンプ１５を駆動させると、貯留部１３内の薬剤液１２が各ノズル１４に加圧されて供給され、これら各ノズル１４から下方に向けて噴霧される。一方、上記空気供給手段２０のファン２５を駆動させると、大気側の空気２が導入口２４、供給ダクト２６、および供給口２７を順次通過して、ケーシング３内に供給される。この場合、操作制御盤３８の操作により、ポンプ１５とファン２５とを自動運転させるようにしてもよく、例えば、ポンプ１５については、１５分間のうち、３分間だけ間欠的に駆動させるよう自動的なタイマー制御をしてもよい。
【００３１】
上記したようにポンプ１５とファン２５とが駆動すると、上記ケーシング３内に供給された空気２は、上記ノズル１４により薬剤液１２が散布された濾過材３３中の微小通路を通過すると共に、上記各ノズル１４から噴霧された薬剤液１２の液滴に対向しながら上昇することにより除塵され、また、この際、上記空気２は薬剤液１２と衝突したり、接触することにより、除塵、脱臭、殺菌の処理がなされ、もって、空気２が浄化される。その後、浄化された空気２は、上記排出口２１において、上記他の濾過材３４中の微小通路を通過して上昇し、ケーシング３の外部に排出されて、大気に戻される。また、上記他の濾過材３４を空気２が通過する際、上記空気２中に残留している液滴等が上記他の濾過材３４に捕捉されて、空気２が更に浄化され、大気に戻される。
【００３２】
上記構成によれば、空気供給手段２０における上記ケーシング３内への空気２の供給口２７を上記薬剤液１２の液面２９に向かって開口させている。
【００３３】
このため、空気浄化装置１の運転時、上記空気供給手段２０によりケーシング３内に空気２が供給されるとき、上記空気供給手段２０の供給口２７からケーシング３内に送り込まれた空気２は、一旦、上記薬剤液１２の液面２９に向かわされ、その後、上方に向かうよう反転して上昇し、上記濾過材３３を経て排出口２１に向かうこととなる。
【００３４】
よって、上記空気供給手段２０の供給口２７からケーシング３内に送りこまれた空気２中の塵埃など質量の大きいものは、上記液面２９に向かう慣性力でこの液面２９に衝突するなどして捕捉され易くなり、その分、上記空気２の浄化がより向上する。
【００３５】
しかも、上記供給口２７を上記ノズル１４の下方域に位置させてある。
【００３６】
このため、上記したように、空気供給手段２０の供給口２７からケーシング３内に送り込まれ、薬剤液１２の液面２９に向かって下方に向かう空気２に対し、上記ノズル１４から下方に向かって噴霧された液滴が注がれる。つまり、上記空気２に対しこの空気２が向かうのと同じ方向に向かって、噴霧された液滴が注がれる。
【００３７】
よって、上記空気２中の塵埃などは、上記液滴により、より強く下方に向かうよう付勢されて、上記液面２９に対し捕捉され易くなり、このため、上記空気２の浄化が更に向上する。
【００３８】
また、前記したように、上下方向で、上記ノズル１４と上記供給口２７との間に配置されて、上記ケーシング３内を上、下部空間に仕切る濾過材３３を備えている。
【００３９】
このため、上記空気供給手段２０の供給口２７を通しケーシング３内に供給された空気２は、上記ノズル１４により薬剤液１２が散布された上記濾過材３３中の微小通路を通って上昇し、この際、空気２は上記濾過材３３と薬剤液１２とにより、除塵、脱臭、殺菌の処理がなされて、空気２が浄化される。
【００４０】
しかも、前記したように、空気供給手段２０の供給口２７からケーシング３内に送り込まれた空気２は、一旦、薬剤液１２の液面２９に向かうよう下方に向かわされた後、上方に向かうよう反転して上昇し、上記濾過材３３に向かわされるため、この反転時に、空気２は減速される。よって、その分、この空気２は濾過材３３を遅い速度で通過することとなって、上記濾過材３３による除塵や、薬剤液１２との接触による脱臭等による空気２の浄化が更に向上する。
【００４１】
また、前記したように、ケーシング３が、上方に向かって開くケーシング開口７を上端に有するケーシング本体８を備え、上記天井板９が上記ケーシング開口７を開閉可能とし、上記ケーシング開口７を通し上記濾過材３３を上記ケーシング本体８内に対し挿抜可能とし、上記排出口２１を閉じる他の濾過材３４を設け、上記天井板９の下面側に上記他の濾過材３４を着脱可能に取り付けている。
【００４２】
このため、上記ケーシング３内で浄化された空気２は、最終的に上記他の濾過材３４中の微小通路を通過させられることにより、この空気２中の液滴などが捕捉されて、大気に戻される。よって、上記空気２は更に確実に浄化される。
【００４３】
また、上記各濾過材３３，３４に対しそれぞれ保守、点検作業をしようとするときには、上記ケーシング本体８のケーシング開口７から上記天井板９を離脱させ、これにより開かれた上記ケーシング開口７を通し上記濾過材３３を操作し、一方、上記他の濾過材３４については、上記天井板９を裏返して操作すればよい。よって、上記各保守、点検作業は、上記天井板９の離脱という単純な操作によって、簡単にできる。
【００４４】
また、前記したように、ケーシング３を収容する他のケーシング４を備えている。
【００４５】
このため、上記ポンプ１５の駆動によりノズル１４が薬剤液１２を噴霧するときには、ポンプ１５の駆動音や、水を打ちつける音に基づいて騒音が発生するが、これらポンプ１５とノズル１４はケーシング３，４内に収容されているため、上記騒音が空気浄化装置１の外部に向かうことは、上記した二重構造のケーシング３，４によって防止される。よって、上記空気浄化装置１は、病院など静かなところに用いることができて有益である。
【００４６】
なお、以上は図示の例によるが、室内を上記空気浄化装置１の導入口２４にチューブにより連通させて、この空気浄化装置１により浄化した空気２を屋外に排出させるようにしてもよく、また、これとは逆に、屋外の空気２を上記空気浄化装置１により浄化して、この空気２を屋内に供給するようにしてもよい。
【００４７】
また、上記ケーシング３内に供給される空気２にオゾンを混入させるようにしてもよく、ノズル１４から噴霧される液滴との衝突でオゾンを発生する物質を上記濾過材３３に混入させてもよい。また、上記ケーシング３の内面にゴム板など弾性体を取り付け、空気浄化装置１から外部への騒音発生を防止するようにしてもよい。
【００４８】
以下の各図は、第２，第３の実施の形態を示している。これら各実施の形態は、前記第１の実施の形態と構成、作用効果において多くの点で共通している。そこで、これら共通するものについては、図面に共通の符号を付してその重複した説明を省略し、異なる点につき主に説明する。また、これら各実施の形態における各部分の構成を、本発明の課題、作用効果に照らして種々組み合せてもよい。
【００４９】
（第２の実施の形態）
【００５０】
図３は、第２の実施の形態を示している。
【００５１】
これによれば、上記導入口２４とファン２５とは、上記ケーシング３の上下方向の中途部に配置されている。また、上記ケーシング３の一側面に上記導入口２４、ファン２５、レベル計３７、および操作制御盤３８が集められていて、これらに対する操作がし易くされている。
【００５２】
（第３の実施の形態）
【００５３】
図４は、第３の実施の形態を示している。
【００５４】
これによれば、空気浄化装置１は全体として竪長の形状とされており、よって、この空気浄化装置１は狭い室内への設置が可能とされている。
【００５５】
【発明の効果】
本発明による効果は、次の如くである。
【００５６】
請求項１の発明は、ケーシングと、このケーシング内の底部に設けられる薬剤液用の貯留部と、上記ケーシング内の上部に配置され下方に向かって上記薬剤液を噴霧可能とするノズルと、上記薬剤液を上記ノズルに供給するポンプと、上記ケーシング内における上記貯留部とノズルとの間に大気側の空気を供給可能とする空気供給手段とを備え、上記ケーシングの天井板にこのケーシング内の空気を外部に排出可能とする排出口を成形した空気浄化装置において、
【００５７】
上記空気供給手段における上記ケーシング内への空気の供給口を上記薬剤液の液面に向かって開口させている。
【００５８】
このため、空気浄化装置の運転時、上記空気供給手段によりケーシング内に空気が供給されるとき、上記空気供給手段の供給口からケーシング内に送り込まれた空気は、一旦、上記薬剤液の液面に向かわされ、その後、上方に向かうよう反転して上昇し、上記濾過材を経て排出口に向かうこととなる。
【００５９】
よって、上記空気供給手段の供給口からケーシング内に送りこまれた空気中の塵埃など質量の大きいものは、上記液面に向かう慣性力でこの液面に衝突するなどして捕捉され易くなり、その分、上記空気の浄化がより向上する。
【００６０】
しかも、上記供給口を上記ノズルの下方域に位置させてある。
【００６１】
このため、上記したように、空気供給手段の供給口からケーシング内に送り込まれ、薬剤液の液面に向かって下方に向かう空気に対し、上記ノズルから下方に向かって噴霧された液滴が注がれる。つまり、上記空気に対し、この空気が向かうのと同じ方向に向かって、噴霧された液滴が注がれる。
【００６２】
よって、上記空気中の塵埃などは、上記液滴により、より強く下方に向かうよう付勢されて、上記液面に対し捕捉され易くなり、このため、上記空気の浄化が更に向上する。
【００６３】
請求項２の発明は、上下方向で、上記ノズルと上記供給口との間に配置されて、上記ケーシング内を上、下部空間に仕切る濾過材を備えている。
【００６４】
このため、上記空気供給手段の供給口を通しケーシング内に供給された空気は、上記ノズルにより薬剤液が散布された上記濾過材中の微小通路を通って上昇し、この際、空気は上記濾過材と薬剤液とにより、除塵、脱臭、殺菌の処理がなされて、空気が浄化される。
【００６５】
しかも、前記したように、空気供給手段の供給口からケーシング内に送り込まれた空気は、一旦、薬剤液の液面に向かうよう下方に向かわされた後、上方に向かうよう反転して上昇し、上記濾過材に向かわされるため、この反転時に、空気は減速される。よって、その分、この空気は濾過材を遅い速度で通過することとなって、上記濾過材による除塵や、薬剤液との接触による脱臭等による空気２の浄化が更に向上する。
【００６６】
請求項３の発明は、上記ケーシングが、上方に向かって開くケーシング開口を上端に有するケーシング本体を備え、上記天井板が上記ケーシング開口を開閉可能とし、上記ケーシング開口を通し上記濾過材を上記ケーシング本体内に対し挿抜可能とし、上記排出口を閉じる他の濾過材を設け、上記天井板の下面側に上記他の濾過材を着脱可能に取り付けている。
【００６７】
このため、上記ケーシング内で浄化された空気は、最終的に上記他の濾過材中の微小通路を通過させられることにより、この空気中の液滴などが捕捉されて、大気に戻される。よって、上記空気は更に確実に浄化される。
【００６８】
また、上記各濾過材に対しそれぞれ保守、点検作業をしようとするときには、上記ケーシング本体のケーシング開口から上記天井板を離脱させ、これにより開かれた上記ケーシング開口を通し上記濾過材を操作し、一方、上記他の濾過材については、上記天井板を裏返して操作すればよい。よって、上記各保守、点検作業は、上記天井板の離脱という単純な操作によって、簡単にできる。
【００６９】
請求項４の発明は、上記ケーシングを収容する他のケーシングを備えている。
【００７０】
このため、上記ポンプの駆動によりノズルが薬剤液を噴霧するときには、ポンプの駆動音や、水を打ちつける音に基づいて騒音が発生するが、この騒音が空気浄化装置の外部に向かうことは、上記した二重構造のケーシングによって防止される。よって、上記空気浄化装置は、病院など静かなところに用いることができて有益である。
【図面の簡単な説明】
【図１】第１の実施の形態で、空気浄化装置の側面図である。
【図２】第１の実施の形態で、空気浄化装置の平面図である。
【図３】第２の実施の形態で、図１に相当する図である。
【図４】第３の実施の形態で、図１に相当する図である。
【符号の説明】
１      空気浄化装置
２      空気
３      ケーシング
４      他のケーシング
５      空間
７      ケーシング開口
８      ケーシング本体
９      天井板
１２    薬剤液
１３    貯留部
１４    ノズル
１５    ポンプ
２０    空気供給手段
２１    排出口
２７    供給口
２９    液面
３０    軸心
３３    濾過材
３４    他の濾過材
θ      交角
【図１】
2004357804.tif 000003
【図２】
2004357804.tif 000004
【図３】
2004357804.tif 000005
【図４】
2004357804.tif 000006